(57)【要約】  複数の印刷ユニットにおける版胴の交換を自動的に且つ従来よりも迅速に行うことができるようにした多色グラビア輪転機を提供する。  複数の印刷ユニットと、版胴をチャックしてハンドリングすることで前記印刷ユニットの版胴を交換可能とされてなる第一の非走行型産業ロボットと、前記版胴をチャックしてハンドリングすることで前記印刷ユニットの版胴を交換可能とされてなる第二の非走行型産業ロボットと、を含み、前記第一の非走行型産業ロボットのハンドリングエリアと、前記第二の非走行型産業ロボットのハンドリングエリアとが隣接又は一部重複してなり、前記印刷ユニットにセットされる版胴が前記第一の非走行型産業ロボット又は前記第二の非走行型産業ロボットによって交換されてなるようにした。
2019039176.tif 000002
【特許請求の範囲】
【請求項１】
複数の印刷ユニットを有し、各印刷ユニットに版胴をセットして色を重ねて印刷することで多色印刷する多色グラビア輪転機であり、
前記複数の印刷ユニットと、
円状のハンドリングエリアを有し、前記版胴をチャックしてハンドリングすることで前記印刷ユニットの版胴を交換可能とされてなる第一の非走行型産業ロボットと、
円状のハンドリングエリアを有し、前記版胴をチャックしてハンドリングすることで前記印刷ユニットの版胴を交換可能とされてなる第二の非走行型産業ロボットと、
を含み、
前記第一の非走行型産業ロボットのハンドリングエリアと、前記第二の非走行型産業ロボットのハンドリングエリアとが隣接又は一部重複してなり、
前記第一の非走行型産業ロボットのハンドリングエリア及び前記第二の非走行型産業ロボットのハンドリングエリアに、前記複数の印刷ユニットが設置されてなり、
前記印刷ユニットにセットされる版胴が前記第一の非走行型産業ロボット又は前記第二の非走行型産業ロボットによって交換されてなるようにした、多色グラビア輪転機。
【請求項２】
前記第一の非走行型産業ロボット及び前記第二の非走行型産業ロボットが、固定式台座部と、前記固定式台座部に接続された旋回式アーム部と、を有する、請求項１記載の多色グラビア輪転機。
【請求項３】
前記第一の非走行型産業ロボット及び前記第二の非走行型産業ロボットのハンドリングエリアの中心が同一軸線上に位置せしめられてなり、前記ハンドリングエリアの同一軸線に対して、前記版胴の回転軸が直交するように前記複数の印刷ユニットが並列して設置せしめられてなる、請求項１又は２記載の多色グラビア輪転機。
【発明の詳細な説明】
【技術分野】
【０００１】
本発明は、複数の印刷ユニットをもち、多色印刷を行うためのグラビア輪転印刷機である多色グラビア輪転機に関し、より詳しくは、版胴を自動的に交換可能とした多色グラビア輪転機に関する。
【背景技術】
【０００２】
従来、多色グラビア輪転機としては、例えば特許文献１に記載されたものが知られている。特許文献１では、記載された印刷機の印刷ユニットにおける印刷機器を取替える方法および装置として、キャリジに装着された、彫り込んであるシリンダなどの印刷要素を取替える方法と装置が開示されている。【０００３】
しかしながら、特許文献１に記載された印刷機の印刷ユニットにおける印刷機器を取替える方法および装置では、印刷機の複数の印刷ユニットに平行して多数の作業機器を設置する必要があるし、また版胴の交換作業に時間もかかるという問題があった。【０００４】
また、特許文献２では、印刷ラインを構成する印刷ユニットが多数であっても、また印刷ラインが複数列であっても、印刷ロールの交換に共通使用できる印刷ロール自動交換機能を有する走行形産業用ロボットを備えた印刷工場も提案されている。【０００５】
しかしながら、特許文献２に記載された印刷工場では、走行形のロボットを用いており、ロボットの走行ゾーンも必要なため、ロボットの走行ゾーンのスペースの確保のほか、版胴の交換作業に時間もかかるという問題があった。
【先行技術文献】
【特許文献】
【０００６】
【特許文献１】特開昭５８−２０３０５６号公報
【特許文献２】特開２０００−７１４１７号公報
【発明の概要】
【発明が解決しようとする課題】
【０００７】
本発明は、上記した従来技術の現状に鑑みてなされたもので、複数の印刷ユニットにおける版胴の交換を自動的に且つ従来よりも迅速に行うことができるようにした多色グラビア輪転機を提供することを目的とする。
【課題を解決するための手段】
【０００８】
上記課題を解決するため、本発明に係る多色グラビア輪転機は、複数の印刷ユニットを有し、各印刷ユニットに版胴をセットして色を重ねて印刷することで多色印刷する多色グラビア輪転機であり、前記複数の印刷ユニットと、円状のハンドリングエリアを有し、前記版胴をチャックしてハンドリングすることで前記印刷ユニットの版胴を交換可能とされてなる第一の非走行型産業ロボットと、円状のハンドリングエリアを有し、前記版胴をチャックしてハンドリングすることで前記印刷ユニットの版胴を交換可能とされてなる第二の非走行型産業ロボットと、を含み、前記第一の非走行型産業ロボットのハンドリングエリアと、前記第二の非走行型産業ロボットのハンドリングエリアとが隣接又は一部重複してなり、前記第一の非走行型産業ロボットのハンドリングエリア及び前記第二の非走行型産業ロボットのハンドリングエリアに、前記複数の印刷ユニットが設置されてなり、前記印刷ユニットにセットされる版胴が前記第一の非走行型産業ロボット又は前記第二の非走行型産業ロボットによって交換されてなるようにした、多色グラビア輪転機である。【０００９】
前記第一の非走行型産業ロボット及び前記第二の非走行型産業ロボットが、固定式台座部と、前記固定式台座部に接続された旋回式アーム部と、を有するのが好適である。【００１０】
前記第一の非走行型産業ロボット及び前記第二の非走行型産業ロボットのハンドリングエリアの中心が同一軸線上に位置せしめられてなり、前記ハンドリングエリアの同一軸線に対して、前記版胴の回転軸が直交するように前記複数の印刷ユニットが並列して設置せしめられてなるのが好適である。
【発明の効果】
【００１１】
本発明によれば、複数の印刷ユニットにおける版胴の交換を自動的に且つ従来よりも迅速に行うことができるようにした多色グラビア輪転機を提供することができるという著大な効果を奏する。
【図面の簡単な説明】
【００１２】
【図１】本発明に係る多色グラビア輪転機の一つの実施の形態を示す概略平面図である。
【図２】本発明に係る多色グラビア輪転機の印刷機構部の一つの実施の形態を示す長手方向の概略側面図である。
【図３】本発明に係る多色グラビア輪転機の一つの実施の形態を示す短手方向の概略側面図である。
【発明を実施するための形態】
【００１３】
以下に本発明の実施の形態を説明するが、これら実施の形態は例示的に示されるもので、本発明の技術思想から逸脱しない限り種々の変形が可能なことはいうまでもない。
【００１４】
本発明に係る多色グラビア輪転機を添付図面を用いて説明する。図において、符号１０は本発明に係る多色グラビア輪転機を示す。多色グラビア輪転機１０は、複数の印刷ユニット１２ａ〜１２ｇを有し、各印刷ユニット１２ａ〜１２ｇに版胴１４ａ〜１４ｇをセットして色を重ねて印刷することで多色印刷する多色グラビア輪転機である。図示例では、多色印刷の例として、７色印刷（Ｃ，Ｍ，Ｙ，Ｋ，Ｒ，Ｇ，Ｂなど）の例を示した。多色グラビア輪転機では、各印刷ユニット１２ａ〜１２ｇの数に対応して、版胴が必要となるため、図示例では版胴１４ａ〜１４ｇとして７本の版胴が必要となる。
【００１５】
多色グラビア輪転機１０は、前記複数の印刷ユニット１２ａ〜１２ｇを備えており、円状のハンドリングエリアＰを有し、前記版胴１４ａ〜１４ｇをチャックしてハンドリングすることで前記印刷ユニット１２ａ〜１２ｇの版胴１４ａ〜１４ｇを交換可能とされてなる第一の非走行型産業ロボット１６と、円状のハンドリングエリアＱを有し、前記版胴１４ａ〜１４ｇをチャックしてハンドリングすることで前記印刷ユニット１２ａ〜１２ｇの版胴１４ａ〜１４ｇを交換可能とされてなる第二の非走行型産業ロボット１８と、を含む構成とされている。
【００１６】
第一の非走行型産業ロボット１６と第二の非走行型産業ロボット１８は、それぞれがアーム先端部２０及びアーム先端部２２を備えており、前記アーム先端部２０，２２の間隔を広狭させて版胴１４ａ〜１４ｇの両端を把持するようにして版胴１４ａ〜１４ｇをチャックする構成とされている（図３参照）。また、第一の非走行型産業ロボット１６と第二の非走行型産業ロボット１８の固定式台座部２４，２６は、床面Ｆに固定されている。このように、第一の非走行型産業ロボット１６と第二の非走行型産業ロボット１８は、特許文献２に記載されたような、台座が移動する走行型の産業ロボットではなく、台座が床面に固定された固定型の産業ロボットであるため、産業ロボットが走行するための走行レーンが不要である。このため、従来よりもスペースの確保ができ、また、走行レーンを産業ロボットが行き来する必要もないため、版胴の交換作業の迅速化が図れる。本発明に係る多色グラビア輪転機１０では、特許文献２に記載されたような構造の装置と比べて、版胴の交換作業において、およそ１０倍もの時間の短縮が可能である。
【００１７】
また、前記第一の非走行型産業ロボット１６のハンドリングエリアＰと、前記第二の非走行型産業ロボット１８のハンドリングエリアＱとが隣接又は一部重複してなるように構成されている。図１の例では、前記第一の非走行型産業ロボット１６のハンドリングエリアＰと、前記第二の非走行型産業ロボット１８のハンドリングエリアＱとが一部重複している例を示したが、ハンドリングエリアＰとハンドリングエリアＱとは隣接していてもよい。非走行型産業ロボットのハンドリングエリアは非走行型産業ロボットのロボットアームの旋回範囲であり、非走行型産業ロボットの作業エリア（又は作業範囲）となる。図３の符号４６は、前記第一の非走行型産業ロボット１６の固定式台座部２４に接続された旋回式アーム部を示し、旋回式アーム部４６の先端がアーム先端部２０とされている。前記第二の非走行型産業ロボット１８の固定式台座部２６にも同様に旋回式アーム部４８に接続されており、先端がアーム先端部２２とされている。前記第一の非走行型産業ロボット１６及び前記第二の非走行型産業ロボット１８のロボットアームは旋回自在な多軸のロボットアームである。この前記第一の非走行型産業ロボット１６及び前記第二の非走行型産業ロボット１８は制御盤を操作することで制御される。
【００１８】
そして、前記第一の非走行型産業ロボット１６のハンドリングエリアＰ及び前記第二の非走行型産業ロボット１８のハンドリングエリアＱに、前記複数の印刷ユニット１２ａ〜１２ｇが設置されてなり、前記印刷ユニット１２ａ〜１２ｇにセットされる版胴１４ａ〜１４ｇが前記第一の非走行型産業ロボット１６又は前記第二の非走行型産業ロボット１８によって交換されるように構成されている。
【００１９】
図示例では、前記複数の印刷ユニット１２ａ〜１２ｇは、印刷ユニット１２ａ〜１２ｃが前記第一の非走行型産業ロボット１６の作業エリアであるハンドリングエリアＰ上に設置されており、印刷ユニット１２ｄ〜１２ｇが前記第二の非走行型産業ロボット１８の作業エリアであるハンドリングエリアＱ上に設置されている。前記複数の印刷ユニット１２ａ〜１２ｇのいずれの印刷ユニットを前記第一の非走行型産業ロボット１６及び前記第二の非走行型産業ロボット１８のどちらのハンドリングエリアに設置するかは、適宜変更すればよい。
【００２０】
また、図１において、符号２８はインクの付いた版胴を洗浄するための洗浄槽であり、洗浄槽２８は、前記第一の非走行型産業ロボット１６のハンドリングエリアＰに設置されている。また、図１において、符号３０もインクの付いた版胴を洗浄するための洗浄槽であり、洗浄槽３０は、前記第二の非走行型産業ロボット１８のハンドリングエリアＱに設置されている。図１において、符号３２は版胴１４をストックしておくためのターンテーブル式の版胴ストック装置である。なお、図１において、符号３４は梯子を示す。
【００２１】
また、前記複数の印刷ユニット１２ａ〜１２ｇにはそれぞれ制御盤３６ａ〜３６ｇが設けられている。符号３８ａ，３８ｂは自動紙継装置であり、それぞれ給紙装置の役目を果たす。符号４０ａ，４０ｂは自動紙切装置であり、それぞれ巻取装置の役目を果たす。図１において、符号４２ａ，４２ｂはフレーム部材であり、前記複数の印刷ユニット１２ａ〜１２ｇと自動紙継装置３８ａ，３８ｂと自動紙切装置４０ａ，４０ｂとで印刷機構部４４を構成している。多色グラビア輪転機１０は、印刷機構部４４の隣に第一の非走行型産業ロボット１６と第二の非走行型産業ロボット１８とが並置された構成となっている。なお、図１及び図２において、符号Ｏはオペレータを示す。
【００２２】
さらに、図１に示される如く、前記第一の非走行型産業ロボット１６及び前記第二の非走行型産業ロボット１８のハンドリングエリアＰ，Ｑの中心が同一軸線上に位置せしめられてなり、前記ハンドリングエリアＰ，Ｑの同一軸線に対して、前記版胴１４ａ〜１４ｇの回転軸が直交するように前記複数の印刷ユニット１２ａ〜１２ｇが並列して設置せしめられている。
【００２３】
このように構成された多色グラビア輪転機１０において、前記複数の印刷ユニット１２ａ〜１２ｇで印刷が行われて版胴１４ａ〜１４ｇの交換の必要が生じると、第一の非走行型産業ロボット１６と第二の非走行型産業ロボット１８は、それぞれのアーム先端部２０及びアーム先端部２２の間隔を広狭させて版胴１４ａ〜１４ｇの両端を把持して版胴１４ａ〜１４ｇをチャックする。そして、前記複数の印刷ユニット１２ａ〜１２ｇから版胴１４ａ〜１４ｇを外して、洗浄槽２８，３０で洗浄して版胴ストック装置３２にストックする。
【００２４】
そして、版胴ストック装置３２にストックされていた別のパターンが刻設された版胴１４が第一の非走行型産業ロボット１６と第二の非走行型産業ロボット１８によってチャックされて前記複数の印刷ユニット１２ａ〜１２ｇにセットされて次の印刷が行われる。印刷が終わって版胴１４を交換する場合には、上記と同様となる。
【００２５】
このようにして、多色グラビア輪転機１０では、複数の印刷ユニット１２ａ〜１２ｇにおける版胴１４ａ〜１４ｇの交換を自動的に且つ従来よりも迅速に行うことができるように構成されている。
【符号の説明】
【００２６】
１０：本発明に係る多色グラビア輪転機、１２ａ〜１２ｇ：印刷ユニット、１４，１４ａ〜１４ｇ：版胴、１６：第一の非走行型産業ロボット、１８：第二の非走行型産業ロボット、２０：第一の非走行型産業ロボットのアーム先端部、２２：第二の非走行型産業ロボットのアーム先端部、２４：第一の非走行型産業ロボットの固定式台座部、２６：第二の非走行型産業ロボットの固定式台座部、２８，３０：洗浄槽、３２：ターンテーブル式の版胴ストック装置、３４：梯子、３６ａ〜３６ｇ：制御盤、３８ａ，３８ｂ：自動紙継装置、４０ａ，４０ｂ：自動紙切装置、４２ａ，４２ｂ：フレーム部材、４４：印刷機構部、４６：第一の非走行型産業ロボットの旋回式アーム部、４８：第二の非走行型産業ロボットの旋回式アーム部、Ｆ：床面、Ｏ：オペレータ、Ｐ：第一の非走行型産業ロボットのハンドリングエリア、Ｑ：第二の非走行型産業ロボットのハンドリングエリア。
【図１】
2019039176.tif 000003
【図２】
2019039176.tif 000004
【図３】
2019039176.tif 000005
【国際調査報告】
2019039176.tif 000006
2019039176.tif 000007
2019039176.tif 000008
2019039176.tif 000009